(57)【要約】【課題】  絹目調もしくは微粒面とよばれる写真印画紙のような質感を持ちつつ、印刷すじ（バンディング）の目立たないインクジェット記録媒体を提供する。【解決手段】  型押しによって表面に多数の凹凸部が形成されたインクジェット記録媒体であって、前記凹凸部に起因するとともに、インクの付着によって直線状の印刷すじとなり得る直線状模様１が、インクジェット記録方式における主走査方向Yおよび副走査方向Xのいずれに対しても角度を有するように、前記凹凸部が形成されたことを特徴とする。【選択図】      図１
2006341617.tif 000002
【特許請求の範囲】
【請求項１】
型押しによって表面に多数の凹凸部が形成されたインクジェット記録媒体であって、前記凹凸部に起因するとともに、インクの付着によって直線状の印刷すじとなり得る直線状模様が、インクジェット記録方式における主走査方向および副走査方向のいずれに対しても角度を有するように、前記凹凸部が形成されたことを特徴とするインクジェット記録媒体。
【請求項２】
前記凹凸部が、同一形状の多角形形状を有するとともに、規則的に配列されたことを特徴とする請求項１に記載のインクジェット記録媒体。
【請求項３】
基材に少なくとも１種以上のインク受容層が設けられると共に、前記基材が樹脂被覆紙であることを特徴とする請求項１または２に記載のインクジェット記録媒体。
【発明の詳細な説明】
【技術分野】
【０００１】
本発明は、インクジェット記録媒体に関するものであり、更に詳しくは、絹目調もしくは微粒面とよばれる写真印画紙のような質感を持つインクジェット記録媒体に関するものである。
【背景技術】
【０００２】
インクジェット記録方式は、インクの微小液滴を種々の作動原理により飛翔させ、紙等の記録シートに付着させて画像・文字などの記録を行うものである。インクジェットプリンタは高速印字性や低騒音性に優れ、記録パターンの融通性が大きく、複雑な画像を正確、且つ迅速に形成することができる点で注目されており、特に、コンピューターにより作成、編集された文字、図形等の画像情報のハードコピー作成機器として様々な用途で普及している。特に近年、インクジェットプリンタの急速な発展に伴い、多色インクジェット記録方式により出力されるカラー画像は、カラー写真方式などによる印画と比較しても遜色ない画質を得ることが可能となってきた。
【０００３】
インクジェット記録方式では、銀塩写真の様な現像―定着が不要であり、容易に画像のハードコピーが可能であることに加え、デジタルカメラの普及に伴い、銀塩写真に代わるフルカラー画像記録方式としてのインクジェットプリンタ分野は拡大の一途を辿っている。
【０００４】
このようなフルカラー画像を記録する際に使用される記録媒体としては、上質紙等の紙や、紙，コート紙，バライタ紙，樹脂被膜紙，合成樹脂フィルム等を基材として、インク受容層を片面もしくは両面に施してあるものなどがあるが、写真印画紙に近い質感を持つインクジェット記録媒体が好ましい。例えば、基材として樹脂をコーティングした紙（樹脂被覆紙ともいう）を用い、インク受容層またはさらに光沢層を設けたものなどは、基材が紙である場合に比べ、白色度、光沢度が高く、写真印画紙調のインクジェット記録媒体として適している。また写真印画紙にある、一般に良く知られた絹目、微粒面のような表面に繊細な凹凸を形成することにより適度に光沢を低下させ、特異な質感を持たせたインクジェット記録媒体が存在する。例えば、特許文献１では、インク受容層を設けた後でインク受容層の表面に型押しロールを圧着することで写真印画紙に似た凹凸を形成している。
【０００５】
一般に写真印画紙では、絹目は連続した円錐形、四角形、菱形などからなり、微粒面は連続したなだらかな山脈状のパターンからなる。インクジェット記録媒体における絹目調、もしくは微粒面と呼ばれるものは型押しのパターンについての制限はなく、そのほとんどが写真印画紙の模倣に過ぎない。
【０００６】
【特許文献１】特開平１１−１８８９６６号
【発明の開示】
【発明が解決しようとする課題】
【０００７】
しかしながら、実際にインクジェットプリンタで印刷してみると、ある一定の方向に印刷すじ（バンディング）が生じているように見える。特にプリンタの主走査方向および副走査方向に沿ったすじが目に付く。これは型押しによる表面の凹凸に沿ってインク液滴が着弾しているためである。
したがって、本発明の目的は、絹目調もしくは微粒面とよばれる写真印画紙のような質感を持ちつつ、印刷すじ（バンディング）の目立たないインクジェット記録媒体を提供することである。
【課題を解決するための手段】
【０００８】
前述した目的を達成するために、請求項１に係るインクジェット記録媒体は、型押しによって表面に多数の凹凸部が形成されたインクジェット記録媒体であって、前記凹凸部に起因するとともに、インクの付着によって直線状の印刷すじとなり得る直線状模様が、インクジェット記録方式における主走査方向および副走査方向のいずれに対しても角度を有するように、前記凹凸部が形成されたことを特徴としている。このような構成によれば、前記直線状模様が、インクジェット記録方式における主走査方向および副走査方向のいずれに対しても角度を有するように凹凸部が形成されるので、インク滴を付着させるヘッドの動く方向、並びに紙が移動する方向のいずれもが、直線状模様に対してずれることになる。よって、絹目調もしくは微粒面とよばれる写真印画紙のような質感を持ちつつ、印刷すじが目立たないインクジェット記録媒体とすることができる。
【０００９】
請求項２に係るインクジェット記録媒体は、請求項１に係るインクジェット記録媒体において、前記凹凸部が、同一形状の多角形形状を有するとともに、規則的に配列されたことを特徴としている。このような構成によれば、凹凸部が同一形状の多角形形状を有するので、直線状模様を意図的に作成しやすく、このような直線状模様を、インクジェット記録方式における主走査方向および副走査方向のいずれに対しても角度を有するようにすることがより容易である。よって、絹目調もしくは微粒面とよばれる写真印画紙のような質感を持ちつつ、印刷すじを目立なくさせることが極めて容易なインクジェット記録媒体とすることができる。
【００１０】
請求項３に係るインクジェット記録媒体は、前記インクジェット記録媒体において、基材に少なくとも１種以上のインク受容層が設けられると共に、前記基材が樹脂被覆紙であることを特徴としている。
このような構成によれば、基材として樹脂被覆紙を使用するので、例えば基材として普通紙を使用する場合と比較して、型押しをより確実に行うことができ、凹凸部をより鮮明に形成できる。よって、絹目調もしくは微粒面とよばれる写真印画紙のような質感をより確実に有するインクジェット記録媒体とすることができる。
また、一般に、凹凸部が鮮明に形成されたインクジェット記録媒体を使用した記録物は、印刷すじが顕在化しやすいことが知られているが、請求項３に係るインクジェット記録媒体は、請求項１または２に記載のインクジェット記録媒体を前提としており、前述したように、印刷すじが目立ちにくい。
以上より、請求項３に係るインクジェット記録媒体によれば、絹目調もしくは微粒面とよばれる写真印画紙のような質感をより確実に有するとともに、印刷すじの目立たないインクジェット記録媒体とすることができる。
【００１１】
また、本明細書中、凹凸部とは、凹部と凸部とが隣り合って形成される輪郭線に囲まれた部分のことを言う。前記輪郭線に囲まれた凹凸部の形状は、後述の実施形態に示すように、四角形、六角形および八角形等を挙げることができる。ここで、前記輪郭線は、凹部であっても、凸部であっても良い。
【発明を実施するための最良の形態】
【００１２】
以下、本発明に係る実施の形態を図面に基づいて詳細に説明する。
図１〜図５は、それぞれ、本発明の第１〜第５の実施形態に係るインクジェット記録媒体の表面拡大図である。図６は、比較例のインクジェット記録媒体の表面拡大図である。
【００１３】
本発明に係るインクジェット記録媒体は、絹目調もしくは微粒面とよばれる写真印画紙のような質感を出すために、型押しによって表面に多数の凹凸部が形成されたインクジェット記録媒体であり、印刷時には、公知のインクジェットプリンタ（図示せず）に装填されて、所望の画像が記録される。
【００１４】
本発明の第１の実施形態に係るインクジェット記録媒体の表面（図１参照）および比較例のインクジェット記録媒体の表面（図６参照）には、型押しによって多数の六角形３の凹凸部が形成されている。これらのインクジェット記録媒体の表面には、六角形３の一辺がジグザグに連続した直線状模様１（印刷されるまでは、直線として認識されない模様を意味する）が潜在している。
このようなインクジェット記録媒体に対して画像が記録される際、六角形３の辺と他の領域とに同色のインク滴が付着されると、六角形３の辺におけるインク滴の着弾数と他の領域におけるインク滴の着弾数とが異なることに起因する視覚上の濃淡が潜在するものと推測され、特に、直線状模様１とインクジェット記録方式における副走査方向Ｘがほぼ平行である比較例のインクジェット記録媒体においては、直線状模様１に沿ってインク滴が付着するので、直線状模様１が印刷すじとして顕在化しやすい。
【００１５】
しかしながら、第１の実施形態に係るインクジェット記録媒体においては、直線状模様１がインクジェット記録方式における主走査方向Ｙおよび副走査方向Ｘのいずれに対しても角度を有するように、多数の六角形３の凹凸部が形成されているので、印刷時には、インク滴を付着させるインクジェットプリンタのヘッドの動く方向並びに紙が移動する方向のいずれもが、直線状模様１の直線方向に対してずれることになる。よって、直線状模様１は印刷すじとして顕在化しにくい。
【００１６】
本発明の第２の実施形態に係るインクジェット記録媒体の表面（図２参照）にも、絹目調もしくは微粒面とよばれる写真印画紙のような質感を出すために、型押しによって多数の四角形２の凹凸部と多数の六角形３の凹凸部とが形成されているが、この場合は、四角形２の凹凸部と六角形３の凹凸部とが混ざり合うように配列されているので、四角形２の辺と六角形３の辺とが連続し合うことに起因する直線状模様は形成されにくい。
【００１７】
また、型押しによって表面に多数の四角形２の凹凸部と八角形４の凹凸部とが混ざり合うように形成されたインクジェット記録媒体（第３の実施形態：図３参照）においても、四角形２の辺と八角形４の辺とが連続し合うことに起因する直線状模様は形成されにくい。
【００１８】
同様に、型押しによって表面に多数の四角形２の凹凸部と六角形３の凹凸部と八角形４の凹凸部とが混ざり合うように形成されたインクジェット記録媒体（第４の実施形態：図４参照）においても、四角形２の辺と六角形３の辺と八角形４の辺とが連続し合うことに起因する直線状模様は形成されにくい。
【００１９】
以上のように、第２〜第４の実施形態に係るインクジェット記録媒体の表面には、直線状模様が形成されにくいので、インクが付着しても直線状の印刷すじは認識されにくい。
また、第２〜第４の実施形態においては、凹凸部が多角形形状を有するので、例えば、異なる形状の凹凸部を規則的に配列しやすい。よって、図２〜図４に示すように、前記凹凸部の配列を印刷すじの目立たない組み合わせの規則的な配列とすれば、絹目調もしくは微粒面とよばれる写真印画紙のような質感を持たせつつ、印刷すじを目立たせなくすることが極めて容易である。
【００２０】
本発明の第５の実施形態に係るインクジェット記録媒体は、図５に示すように、不特定形状を有する多角形５の凹凸部が、不規則に配列されている。このような構成によれば、異なる多角形５の凹凸部の辺同士が連続し合うことに起因する直線状模様が極めて形成されにくいので、絹目調もしくは微粒面とよばれる写真印画紙のような質感を持ちつつ、特に、印刷すじの目立たないインクジェット記録媒体とすることができる。
【００２１】
なお、前述した第１〜第５の実施形態において例示した凹凸部は、多角形形状に限定されるものではなく、本発明を達成できれば、円形状，楕円形状等の円縁を有する凹凸部であってもよい。
また、本発明に係るインクジェット記録媒体は、凹凸部の輪郭線（多角形においては辺）が、凹部となる場合であっても、凸部となる場合であっても、本発明を達成できれば、特に制限されない。
【００２２】
本発明のインクジェット記録媒体の材質は特に制限されず、紙、合成樹脂フィルム、不織布、樹脂被覆紙（公知の写真用支持体など）、コート紙などが挙げられる。
ここで紙とは、公知の叩解機で適度に叩解した木材繊維、非木材繊維、填料、各種薬品を長網式抄紙機、丸網式抄紙機、傾斜式抄紙機等の公知の抄紙機を用いて漉いたシート状物を意味する。
また、フィルムとは、ビスコース、アセテート、ポリエチレン、ポリプロピレン、ポリ塩化ビニル、ポリスチレン、ナイロン、ポリカーボネート、ポリエチレンテレフタレート、ポリブチレンテレフタレート等の有機樹脂を、必要に応じ填料や薬品を混入し、押し出し法、カレンダー法、延伸法、などの公知の方法でシート状物としたものである。
更に不織布とは木材繊維、コットン、レーヨン、ポリエチレンテレフタレート、ポリブチレンテレフタレート、ポリアクリロニトリル、ポリプロピレン、などの繊維状原料を用いて、スパンボンド法、抄紙法等の公知の方法でシート状物としたものである。
コート紙とは、例えば、前掲した紙，合成樹脂フィルム，不織布等のシート状物や樹脂被覆紙を基材とし、このような基材に対して印刷適性を向上させるような薬品を塗被したものであり、より具体的には、基材が、白色の無機物とこれを表面に接着するバインダーとによってコートされたシート状物の総称であって、アート紙、キャストコート紙、バライタ紙、白板紙、インクジェット用塗被紙等を含む。（日本製紙連合会のコート紙としての印刷用塗工紙に分類されるものの総称）。ここで白色の無機物とはシリカゲル、カオリン、炭酸カルシウム、二酸化チタン、白土、水酸化アルミニウム、ＢａＳＯ4、Ａｌ2Ｏ3（含む擬ベーマイト）、ＺｎＯ、などが挙げられる。更に、バインダーとしてはＰＶＡ、ゼラチン、澱粉、カゼイン、ＳＢＲ、ラテックス、ＢＲ、ＮＢＲ、アクリルエマルジョン、ポリエステルなどがそれに当たる。その他薬剤としては耐水化剤、インク定着剤、蛍光増白剤、モットリング防止剤、界面活性剤、防腐剤、紫外線吸収剤、酸化防止剤、光安定剤、などを用いても良い。また、このような成分から形成される薬品に代えて、例えば、有機カチオン性ポリマーが結合した無機微粒子を含有するもの（特開平１１−５８９４２号公報参照）や、無機微粒子と水溶性樹脂と特定の架橋剤とを用いて恒率乾燥速度を示す間に該水溶性樹脂を架橋させて、硬化させることにより得られるもの（特開平１１−１１５３０８号公報参照）等を用いることもできる。その他、特開平１０−８１０６４号公報、同１０−１００３９７号公報、同１０−１１９４２０号公報、同１０−１１９４２３号公報、同１０−１１９４２４号公報、同１０−１７５３６５号公報、同１０−１９３７７６号公報、同１０−２０３００６号公報、同１０−２１７６０１号公報、同１１−２０３００号公報、同１１−２０３０６号公報、特開平７−２７６７８９号公報、特開平８−１７４９９２号公報等に記載のインク受理の為の層（インク受容層ともいう）を用いることも可能である。
前掲した中でも、本発明のインクジェット記録媒体としては、基材に少なくとも１種以上のインク受容層が設けられると共に、前記基材が樹脂被覆紙であるものが好ましく、これにより、例えば基材として普通紙を使用する場合と比較して、型押しをより確実に行うことができ、凹凸部をより鮮明に形成できる。よってインクジェット記録媒体に対して、絹目調もしくは微粒面とよばれる写真印画紙のような質感をより確実に付与できる。
【００２３】
本発明における、インクジェット記録媒体表面の特徴ある型押しは、この型押しの模様をオス型とすれば、これに対応するメス型が表面に設けられた金属ロールと、この金属ロールに圧着されたニップロールとの間にインクジェット記録媒体を通過させることによって好適に行われる。
【００２４】
上記型押しロールによるインク受容層表面の型押しの際のニップロールの圧力は、鮮明な型付けができる圧力であればよい。通常２５〜８００ｋｇ／ｃｍの範囲より選択される。
【実施例】
【００２５】
ＰＭ写真用紙（セイコーエプソン株式会社製）に対して、以下の型押し（４０ｋｇ／ｃｍ）を行うことによって、実施例１〜５および比較例１のインクジェット記録媒体を作成し、評価した。
【００２６】
（実施例１）
型押しによって、図１に示す配列が表面に形成されたインクジェット記録媒体を実施例１のインクジェット記録媒体とした。
（比較例１）
型押しによって、図６に示す配列が表面に形成されたインクジェット記録媒体を比較例１のインクジェット記録媒体とした。
（実施例２）
型押しによって、図２に示す配列が表面に形成されたインクジェット記録媒体を実施例２のインクジェット記録媒体とした。
（実施例３）
型押しによって、図３に示す配列が表面に形成されたインクジェット記録媒体を実施例３のインクジェット記録媒体とした。
（実施例４）
型押しによって、図４に示す配列が表面に形成されたインクジェット記録媒体を実施例４のインクジェット記録媒体とした。
（実施例５）
型押しによって、図５に示す配列が表面に形成されたインクジェット記録媒体を実施例５のインクジェット記録媒体とした。
【００２７】
ここで、実施例１〜実施例５および比較例１のインクジェット記録媒体は、その画像記録面に形成された凹凸部の輪郭線が凹部となるように作成されている。
【００２８】
上記実施例１〜実施例５および比較例１のインクジェット記録媒体の画像記録面に対して、ポートレート（ＩＳＯ／ＪＩＳ−ＳＣＩＤＮ１）画像を、インクジェットプリンタＰＭ−８００Ｃ（セイコーエプソン株式会社製）を用いて印刷した。
【００２９】
これらの印刷物を、印刷物に関係する職業に付く、任意の第三者により、３０ｃｍ離れた場所から観察してもらった。のべ１００人で評価してもらい、印刷すじが目立つと答えた人が１０人未満のものを印刷すじが目立たないとして“Ａ”、１０人以上のものを印刷すじが目立つとして“Ｂ”とした。結果を表１に示す。
【００３０】
【表１】
2006341617.tif 000003
【００３１】
実施例１〜実施例５のインクジェット記録媒体を用いて印刷した印刷物は、絹目調もしくは微粒面とよばれる写真印画紙のような質感を持ちつつ、印刷すじが目立たなかった。
一方、比較例１のインクジェット記録媒体を用いて印刷した印刷物は、印刷すじが目立ったものとなった。
【図面の簡単な説明】
【００３２】
【図１】本発明の第１の実施形態に係るインクジェット記録媒体の表面拡大図である。
【図２】本発明の第２の実施形態に係るインクジェット記録媒体の表面拡大図である。
【図３】本発明の第３の実施形態に係るインクジェット記録媒体の表面拡大図である。
【図４】本発明の第４の実施形態に係るインクジェット記録媒体の表面拡大図である。
【図５】本発明の第５の実施形態に係るインクジェット記録媒体の表面拡大図である。
【図６】比較例のインクジェット記録媒体の表面拡大図である。
【符号の説明】
【００３３】
１  直線状模様
２  四角形（凹凸部）
３  六角形（凹凸部）
４  八角形（凹凸部）
５  多角形（凹凸部）
Ｘ  副走査方向
Ｙ  主走査方向
【図１】
2006341617.tif 000004
【図２】
2006341617.tif 000005
【図３】
2006341617.tif 000006
【図４】
2006341617.tif 000007
【図５】
2006341617.tif 000008
【図６】
2006341617.tif 000009